(57)【要約】      （修正有）【課題】外観形状を容易に、様々に変更可能な帽子を提供する。【解決手段】頭に被った状態で略半球状の帽子本体１の下部に、着脱可能に布製の環状つば部２を組み合わせる。環状つば部１の内周には、ゴム弾性体が設けられる。環状つば部２は、向かい合う二つの第一の辺と向かい合う二つの第二の辺を有する四角形の布の該第二の辺同士をつなぎ合わせてなり、ゴム弾性体は該第一の辺の一方に設けられている。環状つば部２に設けたゴム弾性体によって、環状つば部２が帽子本体１に着脱されるので帽子本体１にボタンホールやファスナを設ける必要がなくなる。したがって、つばを取り付けてつば付き帽子として使用することができるだけでなく、帽子本体単独としても見栄え良く使用することができる。【選択図】図１
0003144605.tif 000002
【実用新案登録請求の範囲】
【請求項１】
頭に被った状態で略半球状の帽子本体と、
前記帽子本体の下部に着脱可能に組み合わされる布製の環状つば部と、
環状つば部の内周に設けられるゴム弾性体と、を有する帽子。
【請求項２】
前記環状つば部は、向かい合う二つの第一の辺と向かい合う二つの第二の辺を有する四角形の布の該第二の辺同士をつなぎ合わせてなり、
前記ゴム弾性体は該第一の辺の一方に設けられていることを特徴とする、請求項１に記載の帽子。
【請求項３】
前記環状つば部の該第一の辺の他方にもゴム弾性体が設けられていることを特徴とする、請求項２に記載の帽子。
【請求項４】
前記環状つば部の四角形の布が、円筒形状の布を側面方向から押さえつけて平坦にすることにより形成される布であり、該第一の辺に取り付けられる該ゴム弾性体が、円筒形状の布の間を通すことによって取り付けられていることを特徴とする、請求項２または３に記載の帽子。
【考案の詳細な説明】
【技術分野】
【０００１】
本考案は、外観形状を容易に、様々に変更可能な帽子に関する。
【背景技術】
【０００２】
従来、外観形状を変更可能な帽子として、下記特許文献１に記載の多機能性帽子がある。この多機能性帽子は、クラウン（半球状の帽子本体）とブリム（つば）が分離可能であり、ブリムとしてはサンバイザーや環状つばが開示されている。帽子本体には、その下縁全周にわたってファスナチェーンが縫い合わされている。一方、環状つばの上縁や、サンバイザーのつばが取り付けられる環状の帯状体の上縁にも、その全周にわたってファスナチェーンが縫い合わされており、双方のファスナチェーンの歯をかみ合わせることで、帽子本体にブリムを一体的に接合させる。ブリムとしてサンバイザーを帽子本体に取り付けた場合にはキャップ（野球帽）として、環状つばを取り付けた場合にはハット（つば付き帽子）として、状況に応じて帽子の外観形状を変更することができる帽子である。
【０００３】
また、同様にクラウンとブリムが着脱可能な帽子として、下記特許文献２に記載の帽子がある。この帽子はクラウンとブリムの接合をボタンにより行うもので、クラウンの下縁にボタンホールが複数形成され、ブリムの上縁にボタンが複数取り付けられている。クラウンの下端部を折り返すことで、ボタン接合部を隠して、見栄えを良くしている。
【特許文献１】実用新案登録第３０９７１５５号公報
【特許文献２】特開２００６−１５２４４９号公報
【考案の開示】
【考案が解決しようとする課題】
【０００４】
上述の特許文献１および２に記載の帽子にあっては、クラウン自体にブリム取付け用のボタンホールやファスナが取り付けられており、クラウンとブリムとで帽子として使用することを前提としている。つまり、クラウン単独で帽子として使用するものではない。このような帽子の外観形状の変更は、取り付けているブリムを交換することによって行われ、取り換えるブリム自体はあらかじめ用意されている必要がある。外出先等でブリムを取り換える可能性がある場合には、取り換え用のブリムを外出の際に携帯しなくてはならない。
【０００５】
さらに、特許文献１に記載の帽子は、ブリムとクラウンの接合にファスナチェーンを使用していることから、糸くず等が挟まってしまうといった問題や、着脱操作に手間がかかるといった問題がある。
【０００６】
本考案はかかる問題点に鑑みてなされたものであり、外観形状を容易に、様々に変更可能な帽子を提供することを目的とする。
【課題を解決するための手段】
【０００７】
上記課題を解決するために、請求項１に記載の考案は、頭に被った状態で略半球状の帽子本体と、前記帽子本体の下部に着脱可能に組み合わされる布製の環状つば部と、
環状つば部の内周に設けられるゴム弾性体と、を有する帽子である。
【０００８】
請求項２に記載の考案は、請求項１に記載の帽子において、前記環状つば部は、向かい合う二つの第一の辺と向かい合う二つの第二の辺を有する四角形の布の該第二の辺同士をつなぎ合わせてなり、前記ゴム弾性体は該第一の辺の一方に設けられていることを特徴とする。
【０００９】
請求項３に記載の考案は、請求項２に記載の帽子において、前記環状つば部の該第一の辺の他方にもゴム弾性体が設けられていることを特徴とする。
【００１０】
請求項４に記載の考案は、請求項２または３に記載の帽子において、前記環状つば部の四角形の布が、円筒形状の布を側面方向から押さえつけて平坦にすることにより形成される布であり、該第一の辺に取り付けられる該ゴム弾性体が、円筒形状の布の間を通すことによって取り付けられていることを特徴とする。
【考案の効果】
【００１１】
本考案によれば、環状つば部に設けたゴム弾性体によって、環状つば部が帽子本体に着脱されるので帽子本体にボタンホールやファスナを設ける必要がなくなる。したがって、つばを取り付けてつば付き帽子として使用することができるだけでなく、帽子本体単独としても見栄え良く使用することができる。
【００１２】
また、環状つば部を布製にし、ゴム弾性体で帽子本体に取り付けることで、帽子本体に取り付けた環状つば部の形状の変更も可能になる。
【考案を実施するための最良の形態】
【００１３】
以下、本考案の実施形態について、添付の図面を参照して詳細に説明する。図を通して、同じ要素には同じ参照符号を付してその説明を省略する。
【００１４】
図１は、本考案の一実施形態による帽子を示す斜視図であり、図２は帽子の分解斜視図である。図２（Ａ）は帽子本体（クラウン）１を示し、図２（Ｂ）は環状つば部（ブリム）２を示す。図１、２（Ａ）および２（Ｂ）に示すように、本考案の一実施形態による帽子は、帽子本体１と環状つば部（ブリム）２からなる。
【００１５】
帽子本体１は、頭に被った状態で略半球状であり、織物、編み物、不織布等の布製である。帽子本体１は一枚の布から半球状に製作されても良く、また、複数枚の布を縫い合わせることにより半球状に製作しても良い。さらに、後述のとおり、円筒状に形成された布の一方の端を絞ることによって略半球状に形成することもできる。加えて、二枚の半球状の布を縫い合わせることにより製作しても良く、その場合には裏表異なる生地を用いることによって、帽子の形状だけではなく色や模様柄の変化を楽しむこともできる。
【００１６】
図２（Ａ）に示す帽子本体１には、その下部（帽子のすべり部分）１ａに弾性部材としてゴムが設けられている。帽子本体１の下端が内側に折り返されており、下端を帽子本体１の下部１ａに縫着することによって、帽子本体１の下部全周に渡ってゴム通し孔１ｂが形成される。ゴムはそのゴム通し孔１ｂを貫通するようにして設けられる。ゴムをこのように設けることによって、帽子本体１の周方向に伸縮性が得られ、頭部にフィットさせることができる。また、帽子本体１の下部の布地を折り返すことでゴム通し孔１ｂを形成し、ゴム通し孔１ｂにゴムを通すことから、帽子本体１の下部が他の部分と比較して出っ張る。したがって、後述する環状つば部２（図２（Ｂ）参照）を帽子本体１に重ね合わせたときに、環状つば部２をこの出っ張り部分に位置決めすることができる。
【００１７】
次に、帽子本体１の製作方法の一例を、図３を参照して説明する。まず、図３（Ａ）に示すように、円筒状の布生地を用意する。この円筒状の布の、図中、上方部分を水平方向に糸で縛る。このとき、生地の表側から縛っても、裏側から縛ってもよい。表側から縛った場合、図３（Ｂ）に示すように、縛り部分から上方の生地を花びらのように形作ることができるので、真中にボタンを取り付けることで見栄えを良くすることができる。また、裏側から縛った場合には、図３（Ｃ）に示すように、真中にちぢらがよるので、ボタンなどを取り付けて、ちぢらを隠すことで見栄えが良くなる。このように作成した後、必要に応じて、図２（Ａ）に示すように、帽子本体１の下部にゴムなどの弾性部材を取り付けることができる。
【００１８】
図２（Ｂ）は本実施形態よる環状つば部（ブリム）２を示す図である。図２（Ｂ）に示すように、環状つば部２はドーナッツ形状である。環状つば部２は、帽子本体１と同じく布製であるが、その素材、色そして模様柄は帽子本体１と同じでも異なっていても良い。環状つば部２は四角形の布地からなり、その短辺（第二の辺２ｃ）同士は縫着により接合されている。また、環状つば部２の一長辺（第一の辺２ｂ）に弾性部材としてゴム３が取り付けられており、その結果その一長辺（第一の辺２ｂ）側が縫い縮められて、ギャザーが形成されている。この環状つば部２を帽子本体１の下部に重ね合わせることで、図１に示す本実施形態による帽子となる。
【００１９】
なお、本実施形態における帽子は、図２（Ａ）に示すように、帽子本体１単独で帽子として使用することもでき、また、図１に示すように、帽子本体１に環状つば部を重ね合わせてつば付き帽子として使用することもできる。つば付き帽子として使用する場合には、最初に帽子本体１をかぶり、次いで、ゴム３が取り付けられた第一の辺２ｂを帽子本体１の下部に重ね合わせるようにして環状つば部２をかぶることで使用することができる。
【００２０】
次に、環状つば部２の製作方法について図４を参照して説明する。
【００２１】
まず、図４（Ａ）に示すように、四角形の布２ａを用意する。この布は、上述の通り織物、編み物、不織布等さまざまな布を採用することができる。四角形の布２ａはその第一の辺２ｂが帽子本体１の下部円周に取り付けられ、第二の辺２ｃが環状つば部２の長さに対応する。図２（Ｂ）に示すように環状つば部２にはギャザーが形成されることから、第一の辺２ｂは帽子本体１の下部円周よりも長く用意する必要がある。
【００２２】
次に、図４（Ｂ）に示すように、四角形の布２ａを、その第二の辺２ｃの真ん中で二つ折にして、第一の辺２ｂ同士を重ね合わせて縫着させる。そうすると、円筒形の布２ｅが形成される。このとき、布の表側が円筒形の布の内側になるように縫着する。縫い合わせたら、図４（Ｃ）に示すように、布を裏返しにして表側の布が外側になるようにする。
【００２３】
次に、円筒形の布２ｅを側面方向から押さえつけて平坦な四角形状（図４（Ｃ））にし、図４（Ｄ）に示すように、第二の辺２ｃ同士を縫い合わせる。このとき、縫着は第二の辺２ｃの端からゴム通し孔２ｄ分（図４（Ｃ）参照）をあけて始める。布の第二の辺２ｃ同士を縫い合わせたところで、ゴム通し孔２ｄにゴム３を通して、そのゴム３も端同士を結ぶ。この時、ゴムの長さを短く調整することで、図４（Ｅ）に示すように、環状つば部２にギャザーが形成される。また、このゴム通し孔２ｄの形成された側が環状つば部２の内径になり、帽子本体１の下部に重ね合わされることになる。
【００２４】
ゴム３は使用していると弾性効果が薄れ、伸びきったようになることがある。縫着した第二の辺２ｃにおいてゴム通し孔２ｄ分をあけていることで、ゴム３の付け替えを簡単に行うことができる。また、ゴム通し孔２ｄ部分以外の第二の辺２ｃ同士が縫着されていることから、ゴム３が第二の辺２ｃに沿って動くことを妨げることができる。
【００２５】
なお、上述の方法では、一枚の四角形の布２ａを二つ折りにして環状つば部２を製作したが、四角形の布２ａを二枚使用して、それぞれの第一の辺２ｂ同士を縫着させることで、円筒形の布２ｅを製作してもよい。しかしながら、二枚の布で製作した場合には、縫い目が増えることから、外観により一層留意する必要がある。さらに、あらかじめ円筒状である布を用意して、その第二の辺２ｃ同士のみを縫い合わせることで環状つば部２を製作してもよい。
【００２６】
また、円筒形の布２ｅを形成することなく環状つば部２を製作してもよい。その場合、帽子本体１の下部にゴム通し孔１ｂを形成したように、一枚の四角形の布２ａの第一の辺２ｂを、裏側にゴム通し孔２ｄ分折って、その端部を縫着させる。そうすることで、ゴム通し孔２ｄが形成され、ゴム３を通すと、最終的に一枚布からなる環状つば部２を形成することができる。
【００２７】
また、上述の方法ではゴムをゴム通し孔１ｂやゴム通し孔２ｄに貫通させて取り付けているが、ゴム通し孔１ｂやゴム通し孔２ｄを形成することなく、平板状のゴムを縫い付けるようにしてゴム３を取り付けても良い。
【００２８】
次に本考案の第二の実施形態による帽子について図５（Ａ）から図６を参照して説明する。図５は本考案の第二の実施形態による帽子の分解斜視図である。図５（Ａ）は帽子本体１を示し、図５（Ｂ）は環状つば部１２を示す。図５（Ａ）に示す帽子本体１は第一の実施形態における帽子本体１と同じであり、その説明を省略する。
【００２９】
図５（Ｂ）に示す環状つば部１２は、基本構造は第一の実施形態における環状つば部２と同じであり、布製でドーナッツ形状である。また、その素材、色そして模様柄は帽子本体１と同じでも異なっていても良い。さらに、環状つば部１２は四角形の布地からなり、その短辺（第二の辺１２ｃ）同士は縫着により接合されている。また、図５（Ｂ）に示す環状つば部１２の内周を形成している長辺（第一の辺１２ｂ１）に弾性部材としてゴム３が取り付けられており、その結果その一長辺側が縫い縮められて、ギャザーが形成されている点も同じである。
【００３０】
第一の実施形態における環状つば部２との違いとして、第二の実施形態における環状つば部１２は、図５（Ｂ）に示す環状つば部１２の外周を形成している長辺（第一の辺１２ｂ２）にも弾性部材としてゴムが取り付けられている。この第一の辺１２ｂ２に取り付けられるゴム３は、第一の辺１２ｂ１に取り付けられるゴムより長めであり、形成されるギャザーも少ない。
【００３１】
このような環状つば部１２を帽子本体１の下部に重ね合わせることで、図６に示す本実施形態による帽子となる。この帽子の使用方法は上述の第一の実施形態における帽子と同様であり、図５（Ａ）に示すように、帽子本体１単独で帽子として使用することもでき、また、図６に示すように、帽子本体１に環状つば部を重ね合わせてつば付き帽子として使用することもできる。つば付き帽子として使用する場合には、まず帽子本体１をかぶり、次いで、ゴムが取り付けられた第一の辺１２ｂ１を帽子本体１の下部に重ね合わせるようにして環状つば部１２をかぶる。もう一方の第一の辺１２ｂ２にもゴムが取り付けられていることから、第一の実施形態における帽子と異なり、つば全体が丸みを帯びた状態のつば付き帽子として使用することができる。
【００３２】
次に、この帽子のさらなる使用例を図７および図８を参照して説明する。
【００３３】
図７は、第二の実施形態における帽子の第一の変形例を示す。この例において、最初に帽子本体１をかぶり、次に第一の辺１２ｂ１を帽子本体１の下部に重ね合わせるようにして環状つば部１２をかぶる。その後、第二の辺１２ｃの真ん中で環状つば部１２を二つ折りにして、第一の辺１２ｂ２を内側に折り込み第一の辺１２ｂ１と重ね合わせる。このようにして、図７に示すように、図６の帽子よりもつばの短いつば付きの帽子となる。
【００３４】
また、図８は、第二の実施形態における帽子の第二の変形例を示す。この例においても、最初に帽子本体１をかぶる。次に環状つば部１２の第一の辺１２ｂ１を帽子本体１の上部に、第一の辺１２ｂ２を帽子本体１の下部に重ね合わせるようにして環状つば部１２をかぶる。このようにして図８に示す帽子となる。このように環状つば部１２を帽子本体１に広く重ね合わせることで、帽子を一見ターバンのようにして使用することもできる。
【００３５】
次に、環状つば部１２の製作方法について図９を参照して説明する。
【００３６】
まず、図９（Ａ）に示すように、四角形の布１２ａを用意する。この布は、上述の通り織物、編み物、不織布等さまざまな布を採用することができる。四角形の布１２ａはその第一の辺１２ｂ（１２ｂ１，１２ｂ２）が帽子本体１に重ね合わされ、第二の辺１２ｃが環状つば部１２の長さに対応する。図５（Ｂ）に示すように環状つば部１２にもギャザーが形成されることから、第一の辺１２ｂ（１２ｂ１，１２ｂ２）は帽子本体１の下部円周よりも長く用意する必要がある。
【００３７】
次に、図９（Ｂ）に示すように、四角形の布１２ａを、その第二の辺２ｃの真ん中で二つ折にして、図中上下の第一の辺１２ｂを重ね合わせて縫着させる。そうすると、円筒形の布１２ｅが形成される。このとき、布の表側が円筒形の布の内側になるように縫着する。縫い合わせたら、図９（Ｃ）に示すように、布を裏返しにして表側の布が外側になるようにする。
【００３８】
次に、円筒形の布１２ｅを側面方向から押さえつけて平坦な四角形状（図９（Ｃ））にし、図９（Ｄ）に示すように、第二の辺１２ｃ同士を縫い合わせる。このとき、縫着は第二の辺１２ｃの両端からゴム通し孔１２ｄ分（図９（Ｃ）参照）をあけて始める。布の第二の辺１２ｃ同士を縫い合わせたところで、第一の辺１２ｂ１側のゴム通し孔１２ｄ１と、第一の辺１２ｂ２側のゴム通し孔１２ｄ２にそれぞれゴムを通して、そのゴムもそれぞれ端同士を結ぶ。この時、ゴムの長さを調整することで、図９（Ｅ）に示すように、環状つば部１２にギャザーが形成される。また、上述のとおり、この第一の辺１２ｂ２側のゴム通し孔１２ｄ２に通すゴムは、第一の辺１２ｂ１側のゴム通し孔１２ｄ１に通すゴムより長めであり、形成されるギャザーも少ない。このようにゴムの長さを変えることで、図６に示すような帽子となる。
【００３９】
ゴムは使用していると弾性効果が薄れ、伸びきったようになることがある。縫着した第二の辺１２ｃにおいてゴム通し孔１２ｄ１，１２ｄ２分をあけていることで、ゴムの付け替えを簡単に行うことができる。また、ゴム通し孔１２ｄ１，１２ｄ２部分以外の第二の辺１２ｃ同士が縫着されていることから、ゴムが第二の辺１２ｃに沿って動くことを妨げることができる。
【００４０】
なお、上述の方法では、一枚の四角形の布１２ａを二つ折りにして環状つば部１２を製作したが、四角形の布１２ａを二枚使用して、それぞれの第一の辺１２ｂ（１２ｂ１，１２ｂ２）同士を縫着させることで、円筒形の布１２ｅを製作してもよい。しかしながら、二枚の布で製作した場合には、縫い目が増えることから、外観により一層留意する必要がある。さらに、あらかじめ円筒状である布を用意して、その第二の辺２ｃ同士のみを縫い合わせることで環状つば部１２を製作してもよい。
【００４１】
また、円筒形の布１２ｅを形成することなく環状つば部１２を製作してもよい。その場合、帽子本体１の下部にゴム通し孔１ｂを形成したように、一枚の四角形の布１２ａの第一の辺１２ｂ１，１２ｂ２を、裏側にゴム通し孔１２ｄ１，１２ｄ２分折って、その端部を縫着させる。そうすることで、ゴム通し孔１２ｄ１，１２ｄ２が形成され、ゴムを通すと１、最終的に一枚布からなる環状つば部１２を形成することができる。
【００４２】
また、上述の方法ではゴムをゴム通し孔１２ｄ１，１２ｄ２に貫通させて取り付けているが、ゴム通し孔１２ｄ１，１２ｄ２を形成することなく、平板状のゴムを縫い付けるようにしてゴムを取り付けても良い。
【００４３】
図１０は、本考案による帽子の他の使用例を示す図である。上述の実施形態においては、環状つば部２，１２のギャザーを、環状つば部２，１２の全周に渡ってほぼ均等に形成していたが、たとえば、図１０（Ａ）に示すように、ギャザーを後部中央に寄せることもできる。さらに、ギャザーを形成した部分に花等の飾りを設けることで、雰囲気を変えて、非常に見栄えの良い帽子となる。
【００４４】
また、環状つば部２，１２を半径方向の長さを前方と後方で変えることもできる。たとえば、図１０（Ｂ）に示すように、前方の環状つば部２，１２の長さを長くし、後方の環状つば部２，１２を短めにすることで、キャスケットのようにすることもできる。またこの場合、環状つば部２，１２の内周の長さを、帽子本体１の下部円周の長さに近づけることで、環状つば部２，１２に形成されるギャザーを少なくするのが好ましい。
【００４５】
図１１は本考案による帽子の展示例を示す図である。図１１に示すように、本考案による帽子は、中心に帽子本体１を配置し、その周囲に環状つば部２，１２を花びらのように配置し、全体で花のように展示することができる。この際、図１１に示すように、中心に配置する帽子本体１に飾りを設け、その飾りが中心となるようにして、外観上、花としての特徴を際立たせることができる。
【００４６】
このような飾りは、図７等に示すように、帽子本体１の側面にも複数設けたりすることもできる。飾りとしての花の製作方法としては、細長い生地を用意し、一長辺が円の中心となるように丸く縫い合わせ、その中心にできるちぢらをボタン等で隠すことにより用意に作成することができる。使用する生地は、帽子と同じ生地でも異なる生地でもよい。また、細長い生地の長手方向の中心を絞ることにより、リボンを作成し、飾りとして帽子に取り付けることもできる。飾りの種類としては、花やリボン以外に、蝶や、鳥などをつけても良い。飾りを取り付ける位置は、図示した位置に限らず、好みに応じて取り付けることができるが、縫い目が気になる位置に飾りを取り付けて、縫い目を目立たなくすることもできる。
【００４７】
上述の実施形態１および２における帽子は、帽子本体１に環状つば部２，１２を重ね合わせて、つば付き帽子として説明してきたが、環状つば部２，１２を重ねることなく、帽子本体１単独で帽子として使用することもできる。
【００４８】
また、帽子本体１には、その下部に形成されたゴム通し孔１ｂに弾性部材が設けられていたが、これに限らず、弾性部材は帽子本体１に縫着されていてもよく、帽子としての機能に支障がなければ設けなくても良い。
【００４９】
また、上述の実施形態１および２における帽子では、帽子本体１に対して一つの環状つば部（２，１２）を取り付けたが、薄い布で縫製した環状つば部（２，１２）を、複数重ねて取り付けても良い。
【図面の簡単な説明】
【００５０】
【図１】本考案の第一の実施形態による帽子を示す斜視図
【図２】本考案の第一の実施形態による帽子を示す分解斜視図（図中、（Ａ）は帽子本体を示し、（Ｂ）は環状つば部を示す）
【図３】本考案の第一の実施形態による帽子の帽子本体の製作方法の一例を説明するための図
【図４】本考案の第一の実施形態による帽子の環状つば部の製作方法を説明するための図
【図５】本考案の第二の実施形態による帽子を示す分解斜視図（図中、（Ａ）は帽子本体を示し、（Ｂ）は環状つば部を示す）
【図６】本考案の第二の実施形態における帽子の斜視図
【図７】本考案の第二の実施形態における帽子の第一の変形例を示す図
【図８】本考案の第二の実施形態における帽子の第二の変形例を示す図
【図９】本考案の第二の実施形態による帽子の環状つば部の製作方法を説明するための図
【図１０】本考案による帽子の他の使用例を示す図
【図１１】本考案の帽子の展示例を示す図
【符号の説明】
【００５１】
１    帽子本体
２，１２    環状つば部
２ｂ，１２ｂ１，１２ｂ２    第一の辺
２ｃ，１２ｃ    第二の辺
２ｄ，１２ｄ１，１２ｄ２    ゴム通し孔
３    ゴム（弾性部材）
【図１】
0003144605.tif 000003
【図２】
0003144605.tif 000004
【図３】
0003144605.tif 000005
【図４】
0003144605.tif 000006
【図５】
0003144605.tif 000007
【図６】
0003144605.tif 000008
【図７】
0003144605.tif 000009
【図８】
0003144605.tif 000010
【図９】
0003144605.tif 000011
【図１０】
0003144605.tif 000012
【図１１】
0003144605.tif 000013